(57)【要約】  ガスセンサ１０は、センサ素子２０と、筒状体と、圧粉体４５ａ，４５ｂと、碍子４４ａ〜４４ｃとを備えている。センサ素子２０は、素子本体６０と、検出部と、上側コネクタ電極７１と、上側コネクタ電極７１が配設された第１面６０ａのうち少なくとも前端側を被覆し且つ気孔率が１０％以上の多孔質層８０と、第１水侵入抑制部９１と、を備えている。第１水侵入抑制部９１は、多孔質層８０を素子本体６０の長手方向に沿って分割するように第１面６０ａに配設され、上側コネクタ電極７１よりも前端側に位置し、前後方向の存在範囲と碍子４４ｂの内周面４４ｂ１の前後方向の存在範囲との連続した重複部分の長さである重複距離Ｗが０．５ｍｍ以上である。第１水侵入抑制部９１は、多孔質層８０が存在しない隙間領域であり、長手方向に沿った水の毛細管現象を抑制する。
2019155867.tif 000002
【特許請求の範囲】
【請求項１】
センサ素子と、前記センサ素子が内部を軸方向に貫通する貫通孔を有する金属製の筒状体と、前記貫通孔内に配置され該貫通孔の内周面と前記センサ素子との間に充填された１以上の圧粉体と、気孔率が１０％未満であり前記貫通孔内に配置されると共に内部を前記センサ素子が貫通し前記圧粉体を前記軸方向に押圧する中空柱状の１以上の緻密体と、
を備えたガスセンサであって、
前記センサ素子は、
長手方向に沿った両端である前端及び後端と、該長手方向に沿った表面である１以上の側面と、を有する長尺な素子本体と、
前記素子本体の前記前端側に配設された複数の電極を有し、前記被測定ガス中の特定ガス濃度を検出するための検出部と、
前記１以上の側面のいずれかの前記後端側に１以上配設され、外部と電気的に導通するためのコネクタ電極と、
前記コネクタ電極が配設された前記側面のうち少なくとも前記前端側を被覆し且つ気孔率が１０％以上の多孔質層と、
前記多孔質層を前記長手方向に沿って分割するように前記側面に配設され、前記コネクタ電極よりも前記前端側に位置し、前記長手方向の存在範囲と前記１以上の緻密体の内周面の前記長手方向の存在範囲との連続した重複部分の長さである重複距離Ｗが０．５ｍｍ以上であり、前記多孔質層が存在しない隙間領域であり前記長手方向に沿った水の毛細管現象を抑制する水侵入抑制部と、
を備えている、
ガスセンサ。
【請求項２】
前記水侵入抑制部は、前記長手方向の長さＬが１ｍｍ以下である、
請求項１に記載のガスセンサ。
【請求項３】
前記水侵入抑制部は、前記側面から前記緻密体の内周面までの高さＨが５０μｍ以上である、
請求項１又は２に記載のガスセンサ。
【請求項４】
前記センサ素子は、前記コネクタ電極が配設された前記側面に配設され前記複数の電極のいずれかと前記コネクタ電極とを導通する外側リード部を備えており、
前記多孔質層は、前記外側リード部の少なくとも一部を被覆している、
請求項１〜３のいずれか１項に記載のガスセンサ。
【請求項５】
前記多孔質層は、前記水侵入抑制部が存在する領域を除いて、前記コネクタ電極が配設された前記側面のうち該側面の前記前端から前記コネクタ電極の前記前端側の端部までの領域を少なくとも覆っている、
請求項１〜４のいずれか１項に記載のガスセンサ。
【請求項６】
前記素子本体は、直方体形状をしており、前記長手方向に沿った表面である４つの前記側面を有しており、
前記コネクタ電極は、前記４つの側面のうち互いに対向する第１側面及び第２側面にそれぞれ１以上配設されており、
前記多孔質層は、前記第１側面及び前記第２側面をそれぞれ被覆しており、
前記水侵入抑制部は、前記第１側面及び前記第２側面にそれぞれ配設されている、
請求項１〜５のいずれか１項に記載のガスセンサ。
【発明の詳細な説明】
【技術分野】
【０００１】
本発明は、ガスセンサに関する。
【背景技術】
【０００２】
従来、自動車の排気ガスなどの被測定ガスにおけるＮＯｘなどの特定ガスの濃度を検出するセンサ素子を備えたガスセンサが知られている（例えば特許文献１，２）。特許文献１のセンサ素子は、酸素イオン伝導性の固体電解質層を積層した積層体を備えている。また、このセンサ素子は、それぞれ積層体の上面に配設された外側ポンプ電極，外側ポンプ電極用リード線，コネクタ電極，及び多孔質保護層、を備えている。外側ポンプ電極，外側ポンプ電極用リード線，及びコネクタ電極はこの順に接続されて導通しており、コネクタ電極が外部と電気的に接続される。多孔質保護層は、外側ポンプ電極及び外側ポンプ電極用リード線を被覆しており、これらを保護する。特許文献２には、このようなセンサ素子を備えたガスセンサの構造が記載されている。特許文献２のガスセンサは、センサ素子を固定する素子封止体を備えている。素子封止体は、センサ素子が内部を貫通している筒状の主体金具及び内筒と、主体金具及び内筒の内側に配置されると共にセンサ素子が内部を貫通している複数のサポーター及び複数の圧粉体と、を備えている。
【先行技術文献】
【特許文献】
【０００３】
【特許文献１】特開２０１６−０１４６５９号公報
【特許文献２】特開２０１５−１７８９８８号公報
【発明の概要】
【発明が解決しようとする課題】
【０００４】
ところで、特許文献１の多孔質保護層のような多孔質層がセンサ素子の表面に存在する場合、排ガス中の水分が毛細管現象によって多孔質層内を移動することがあった。その結果、水分がコネクタ電極まで到達してしまい、水や水に溶けた硫酸などの成分によってコネクタ電極の錆や腐食が発生したりコネクタ電極間の短絡が生じたりする場合があった。【０００５】
本発明はこのような課題を解決するためになされたものであり、水分がコネクタ電極に到達するのを抑制することを主目的とする。
【課題を解決するための手段】
【０００６】
本発明は、上述した主目的を達成するために以下の手段を採った。【０００７】
本発明のガスセンサは、
センサ素子と、前記センサ素子が内部を軸方向に貫通する貫通孔を有する金属製の筒状体と、前記貫通孔内に配置され該貫通孔の内周面と前記センサ素子との間に充填された１以上の圧粉体と、気孔率が１０％未満であり前記貫通孔内に配置されると共に内部を前記センサ素子が貫通し前記圧粉体を前記軸方向に押圧する中空柱状の１以上の緻密体と、
を備えたガスセンサであって、
前記センサ素子は、
長手方向に沿った両端である前端及び後端と、該長手方向に沿った表面である１以上の側面と、を有する長尺な素子本体と、
前記素子本体の前記前端側に配設された複数の電極を有し、前記被測定ガス中の特定ガス濃度を検出するための検出部と、
前記１以上の側面のいずれかの前記後端側に１以上配設され、外部と電気的に導通するためのコネクタ電極と、
前記コネクタ電極が配設された前記側面のうち少なくとも前記前端側を被覆し且つ気孔率が１０％以上の多孔質層と、
前記多孔質層を前記長手方向に沿って分割するように前記側面に配設され、前記コネクタ電極よりも前記前端側に位置し、前記長手方向の存在範囲と前記１以上の緻密体の内周面の前記長手方向の存在範囲との連続した重複部分の長さである重複距離Ｗが０．５ｍｍ以上であり、前記多孔質層が存在しない隙間領域であり前記長手方向に沿った水の毛細管現象を抑制する水侵入抑制部と、
を備えている、
ものである。【０００８】
このガスセンサでは、素子本体の１以上の側面のいずれかにおいて、後端側にコネクタ電極が配設され、少なくともその側面の前端側を被覆する多孔質層が配設されている。そして、このセンサ素子は、多孔質層を長手方向に沿って分割するようにその側面に配設され、コネクタ電極よりも前端側に位置する水侵入抑制部を備えている。そのため、検知部の複数の電極が存在する側である素子本体の前端側が被測定ガスに晒された場合に、被測定ガス中の水分が毛細管現象によって多孔質層内を素子本体の後端側に向かって移動したとしても、水分はコネクタ電極に到達する前に水侵入抑制部に到達する。そして、水侵入抑制部は、多孔質層が存在しない隙間領域であり、多孔質層とは異なり素子本体の長手方向に沿った水の毛細管現象が生じにくいため、水分は水侵入抑制部を通過しにくい。また、本発明のガスセンサでは、センサ素子の長手方向における、水侵入抑制部の存在範囲と１以上の緻密体の内周面の存在範囲との連続した重複部分の長さである重複距離Ｗが０．５ｍｍ以上となっている。ここで、筒状体とセンサ素子との間には圧粉体と緻密体とが存在し、緻密体は気孔率が１０％未満であるため水分は緻密体の内部を通過しにくいが、圧粉体は吸水性を有するため水分は多孔質層だけでなく圧粉体の内部も移動可能である。そのため、例えばセンサ素子の長手方向で水侵入抑制部が圧粉体と同じ位置にのみ配置されているなど重複距離Ｗが０ｍｍであると、水分は圧粉体の内部を通過することで水侵入抑制部を回り込んで後端側に移動してしまう場合がある。しかし、本発明のガスセンサでは、重複距離Ｗが０．５ｍｍ以上であることで、水分が圧粉体の内部を移動して水侵入抑制部を回り込むことを抑制する領域が十分な長さに亘って存在することになるため、回り込みによる水分の移動を十分抑制できる。以上により、水侵入抑制部は、多孔質層内を移動してきた水分が水侵入抑制部内を通過することを抑制し、しかも圧粉体を介して水分が水侵入抑制部を回り込んで移動することも抑制する。したがって、このガスセンサでは、水分が水侵入抑制部よりもセンサ素子の後端側に移動してコネクタ電極に到達するのを抑制できる。ここで、水侵入抑制部の長手方向の長さＬは必ず重複距離Ｗ以上の値となるため、長さＬも０．５ｍｍ以上である。この場合において、前記重複距離Ｗは５ｍｍ以上としてもよい。前記重複距離Ｗは２０ｍｍ以下としてもよい。前記多孔質体は、前記水侵入抑制部が存在する領域を除いて、前記コネクタ電極が配設された前記側面のうち該側面の前記前端から前記水侵入抑制部よりも後方までの領域を少なくとも覆っていてもよい。【０００９】
本発明のガスセンサにおいて、前記水侵入抑制部は、前記長手方向の長さＬが１ｍｍ以下であってもよい。こうすれば、水侵入抑制部の長さＬが比較的小さいため、素子本体の側面が露出する部分（多孔質層に覆われていない部分）を少なくすることができる。【００１０】
本発明のガスセンサにおいて、前記水侵入抑制部は、前記側面から前記緻密体の内周面までの高さＨが５０μｍ以上であってもよい。こうすれば、素子本体のうち水侵入抑制部が配設された側面と緻密体との距離が近すぎて側面と緻密体の内周面との間で毛細管現象が生じてしまうことをより抑制できる。また、前記高さＨは５００μｍ以下であってもよい。【００１１】
本発明のガスセンサにおいて、前記センサ素子は、前記コネクタ電極が配設された前記側面に配設され前記複数の電極のいずれかと前記コネクタ電極とを導通する外側リード部を備えており、前記多孔質層は、前記外側リード部の少なくとも一部を被覆していてもよい。こうすれば、外側リード部の少なくとも一部を多孔質層によって保護できる。また、外側リード部を多孔質層によって保護する場合には、コネクタ電極に近い位置に多孔質層が存在しやすいため、本発明を適用する意義が高い。【００１２】
この場合において、前記多孔質層は前記外側リード部を全て被覆していてもよいし、前記多孔質層は前記外側リード部のうち前記水侵入抑制部が存在しない部分を全て被覆していてもよい。また、本発明のガスセンサは、前記検出部が有する複数の電極の１つであり、前記外側リード部を介して前記コネクタ電極と導通し、該コネクタ電極が配設された前記側面に配設された外側電極、を備えていてもよい。この場合において、前記多孔質層は、前記外側電極を被覆していてもよい。【００１３】
本発明のガスセンサにおいて、前記多孔質層は、前記水侵入抑制部が存在する領域を除いて、前記コネクタ電極が配設された前記側面のうち該側面の前記前端から前記コネクタ電極の前記前端側の端部までの領域を少なくとも覆っていてもよい。【００１４】
本発明のガスセンサにおいて、前記素子本体は、直方体形状をしており、前記長手方向に沿った表面である４つの前記側面を有しており、前記コネクタ電極は、前記４つの側面のうち互いに対向する第１側面及び第２側面にそれぞれ１以上配設されており、前記多孔質層は、前記第１側面及び前記第２側面をそれぞれ被覆しており、前記水侵入抑制部は、前記第１側面及び前記第２側面にそれぞれ配設されていてもよい。この場合において、前記素子本体は複数の層を積層した積層体であり、前記第１側面及び前記第２側面は、前記積層の方向を上下方向とした場合の前記素子本体の上面及び下面であってもよい。
【図面の簡単な説明】
【００１５】
【図１】ガスセンサ１０が配管５８に取り付けられた様子を示す縦断面図。
【図２】センサ素子２０の斜視図。
【図３】図２のＡ−Ａ断面図。
【図４】センサ素子２０の上面図。
【図５】センサ素子２０の下面図。
【図６】碍子４４ｂと水侵入抑制部９０との位置関係を示す説明図。
【図７】重複距離Ｗ＝０ｍｍの場合の水侵入抑制部９０の配置を示す説明図。
【図８】実験例１のガスセンサ１０の説明図。
【図９】実験例３〜５のガスセンサ１０の説明図。
【図１０】実験例２，７の液体侵入試験時の侵入距離の時間変化を示すグラフ。
【発明を実施するための形態】
【００１６】
次に、本発明の実施形態について、図面を用いて説明する。図１は、本発明の一実施形態であるガスセンサ１０が配管５８に取り付けられた様子を示す縦断面図である。図２は、センサ素子２０を右上前方から見た斜視図である。図３は、図２のＡ−Ａ断面図である。図４は、センサ素子２０の上面図である。図５は、センサ素子２０の下面図である。本実施形態において、図２，３に示すように、センサ素子２０の素子本体６０の長手方向を前後方向（長さ方向）とし、素子本体６０の積層方向（厚さ方向）を上下方向とし、前後方向及び上下方向に垂直な方向を左右方向（幅方向）とする。
【００１７】
図１に示すように、ガスセンサ１０は、組立体１５と、ナット４７と、外筒４８と、コネクタ５０と、リード線５５と、ゴム栓５７とを備えている。組立体１５は、センサ素子２０と、保護カバー３０と、素子封止体４０とを備えている。ガスセンサ１０は、例えば車両の排ガス管などの配管５８に取り付けられて、被測定ガスとしての排気ガスに含まれるＮＯｘやＯ2等の特定ガスの濃度（特定ガス濃度）を測定するために用いられる。本実施形態では、ガスセンサ１０は特定ガス濃度としてＮＯｘ濃度を測定するものとした。センサ素子２０の長手方向に沿った両端（前端，後端）のうち、前端側が被測定ガスに晒される側である。
【００１８】
保護カバー３０は、図１に示すように、センサ素子２０の前端側を覆う有底筒状の内側保護カバー３１と、この内側保護カバー３１を覆う有底筒状の外側保護カバー３２とを備えている。内側，外側保護カバー３１，３２の各々には、被測定ガスを流通させるための複数の孔が形成されている。内側保護カバー３１で囲まれた空間として素子室３３が形成されており、センサ素子２０の第５面６０ｅ（前端面）はこの素子室３３内に配置されている。
【００１９】
素子封止体４０は、センサ素子２０を封止固定する部材である。素子封止体４０は、主体金具４２及び内筒４３を備えた筒状体４１と、碍子４４ａ〜４４ｃ（緻密体の一例）と、圧粉体４５ａ，４５ｂと、メタルリング４６と、を備えている。センサ素子２０は素子封止体４０の中心軸上に位置しており、素子封止体４０を上下方向に貫通している。
【００２０】
主体金具４２は、筒状の金属製部材である。主体金具４２は、前側が後側よりも内径の小さい肉厚部４２ａとなっている。主体金具４２のうちセンサ素子２０の前端と同じ側（前側）には、保護カバー３０が取り付けられている。主体金具４２の後端は内筒４３のフランジ部４３ａと溶接されている。肉厚部４２ａの内周面の一部は段差面である底面４２ｂとなっている。この底面４２ｂは碍子４４ａが前方に飛び出さないようにこれを押さえている。主体金具４２は、軸方向（ここでは前後方向）に沿って主体金具４２を貫通する貫通孔を有しており、この貫通孔の内部をセンサ素子２０が貫通している。
【００２１】
内筒４３は、筒状の金属製部材であり、前端にフランジ部４３ａを有している。内筒４３と主体金具４２とは同軸に溶接固定されている。また、内筒４３には、圧粉体４５ｂを内筒４３の中心軸方向に押圧するための縮径部４３ｃと、メタルリング４６を介して碍子４４ａ〜４４ｃ，圧粉体４５ａ，４５ｂを図１の下方向に押圧するための縮径部４３ｄとが形成されている。内筒４３は、軸方向（ここでは前後方向）に沿って内筒４３を貫通する貫通孔を有しており、この貫通孔の内部をセンサ素子２０が貫通している。主体金具４２の貫通孔と内筒４３の貫通孔とは軸方向に連通しており、これらが筒状体４１の貫通孔を構成している。
【００２２】
碍子４４ａ〜４４ｃ及び圧粉体４５ａ，４５ｂは、筒状体４１の貫通孔の内周面とセンサ素子２０との間に配置されている。碍子４４ａ〜４４ｃは、圧粉体４５ａ，４５ｂのサポーターとしての役割を果たす。碍子４４ａ〜４４ｃの材質としては、例えばアルミナ、ステアタイト、ジルコニア、スピネル、コージェライト、ムライトなどのセラミックス、又はガラスを挙げることができる。碍子４４ａ〜４４ｃは緻密な部材であり、気孔率は例えば１％未満である。碍子４４ａ〜４４ｃの各々は、軸方向（ここでは前後方向）に沿って自身を貫通する貫通孔を有しており、この貫通孔の内部をセンサ素子２０が貫通している。碍子４４ａ〜４４ｃの各々の貫通孔は、本実施形態ではセンサ素子２０の形状に合わせて軸方向に垂直な断面が四角形状になっている。圧粉体４５ａ，４５ｂは、例えば粉末を成型したものであり、封止材としての役割を果たす。圧粉体４５ａ，４５ｂの材質としては、タルクのほか、アルミナ粉末、ボロンナイトライドなどのセラミックス粉末が挙げられ、圧粉体４５ａ，４５ｂはそれぞれこれらの少なくともいずれかを含んでいてもよい。圧粉体４５ａ，４５ｂを構成する粒子の平均粒径は１５０〜３００μｍであってもよい。圧粉体４５ａは碍子４４ａ，４４ｂ間に充填され、碍子４４ａ，４４ｂにより軸方向の両側（前後）から挟まれて押圧されている。圧粉体４５ｂは碍子４４ｂ，４４ｃ間に充填され、碍子４４ｂ，４４ｃにより軸方向の両側（前後）から挟まれて押圧されている。碍子４４ａ〜４４ｃ，圧粉体４５ａ，４５ｂは縮径部４３ｄ及びメタルリング４６と、主体金具４２の肉厚部４２ａの底面４２ｂと、に挟まれて前後から押圧されている。縮径部４３ｃ，４３ｄからの押圧力により、圧粉体４５ａ，４５ｂが筒状体４１とセンサ素子２０との間で圧縮されることで、圧粉体４５ａ，４５ｂは保護カバー３０内の素子室３３と外筒４８内の空間４９との間を封止すると共に、センサ素子２０を固定している。
【００２３】
ナット４７は、主体金具４２と同軸に主体金具４２の外側に固定されている。ナット４７の外周面には雄ネジ部が形成されている。この雄ネジ部は、配管５８に溶接され内周面に雌ネジ部が設けられた固定用部材５９内に挿入されている。これにより、ガスセンサ１０のうちセンサ素子２０の前端側や保護カバー３０の部分が配管５８内に突出した状態で、ガスセンサ１０が配管５８に固定できるようになっている。
【００２４】
外筒４８は、筒状の金属製部材であり、内筒４３と、センサ素子２０の後端側と、コネクタ５０とを覆っている。外筒４８の内側には主体金具４２の上部が挿入されている。外筒４８の下端は主体金具４２と溶接されている。外筒４８の上端からは、コネクタ５０に接続された複数のリード線５５が外部に引き出されている。コネクタ５０は、センサ素子２０の後端側の表面に配設された上側コネクタ電極７１及び下側コネクタ電極７２に接触して電気的に接続されている。このコネクタ５０を介して、リード線５５はセンサ素子２０の内部の各電極６４〜６８及びヒータ６９と電気的に導通している。外筒４８とリード線５５との隙間はゴム栓５７によって封止されている。外筒４８内の空間４９は基準ガスで満たされている。空間４９にはセンサ素子２０の第６面６０ｆ（後端面）が配置されている。
【００２５】
センサ素子２０は、図２〜５に示すように、素子本体６０と、検出部６３と、ヒータ６９と、上側コネクタ電極７１と、下側コネクタ電極７２と、多孔質層８０と、水侵入抑制部９０と、を備えている。素子本体６０は、ジルコニア（ＺｒＯ2）等の酸素イオン伝導性固体電解質層を複数（図３では６個）積層した積層体を有している。素子本体６０は、長手方向が前後方向に沿っている長尺な直方体形状をしており、上下左右前後の各々の外表面として第１〜第６面６０ａ〜６０ｆを有している。第１面〜第４面６０ａ〜６０ｄは、素子本体６０の長手方向に沿った表面で有り、素子本体６０の側面に相当する。第５面６０ｅは、素子本体６０の前端面であり、第６面６０ｆは、素子本体６０の後端面である。素子本体６０の寸法は、例えば長さが２５ｍｍ以上１００ｍｍ以下、幅が２ｍｍ以上１０ｍｍ以下、厚さが０．５ｍｍ以上５ｍｍ以下としてもよい。素子本体６０には、第５面６０ｅに開口して被測定ガスを自身の内部に導入する被測定ガス導入口６１と、第６面６０ｆに開口して特定ガス濃度の検出の基準となる基準ガス（ここでは大気）を自身の内部に導入する基準ガス導入口６２と、が形成されている。
【００２６】
検出部６３は、被測定ガス中の特定ガス濃度を検出するためのものである。検出部６３は、素子本体６０の前端側に配設された複数の電極を有している。本実施形態では、検出部６３は、第１面６０ａに配設された外側電極６４と、素子本体６０の内部に配設された内側主ポンプ電極６５，内側補助ポンプ電極６６，測定電極６７，及び基準電極６８とを備えている。内側主ポンプ電極６５及び内側補助ポンプ電極６６は、素子本体６０の内部の空間の内周面に配設されておりトンネル状の構造を有している。
【００２７】
検出部６３が被測定ガス中の特定ガス濃度を検出する原理は周知であるため詳細な説明は省略するが、検出部６３は例えば以下のように特定ガス濃度を検出する。検出部６３は、外側電極６４と内側主ポンプ電極６５との間に印加された電圧に基づいて、内側主ポンプ電極６５周辺の被測定ガス中の酸素の外部（素子室３３）への汲み出し又は汲み入れを行う。また、検出部６３は、外側電極６４と内側補助ポンプ電極６６との間に印加された電圧に基づいて、内側補助ポンプ電極６６周辺の被測定ガス中の酸素の外部（素子室３３）への汲み出し又は汲み入れを行う。これらにより、酸素濃度が所定値に調整された後の被測定ガスが、測定電極６７周辺に到達する。測定電極６７は、ＮＯｘ還元触媒として機能し、到達した被測定ガス中の特定ガス（ＮＯｘ）を還元する。そして、検出部６３は、還元後の酸素濃度に応じて測定電極６７と基準電極６８との間に発生する起電力又はその起電力に基づいて測定電極６７と外側電極６４との間に流れる電流を、電気信号として発生させる。このように検出部６３が発生させた電気信号は、被測定ガス中の特定ガス濃度に応じた値（特定ガス濃度を導出可能な値）を示す信号であり、検出部６３が検出した検出値に相当する。
【００２８】
ヒータ６９は、素子本体６０内部に配設された電気抵抗体である。ヒータ６９は、外部から給電されることにより発熱して素子本体６０を加熱する。ヒータ６９は、素子本体６０を形成する固体電解質層の加熱及び保温を行って、固体電解質層が活性化する温度（例えば８００℃）に調整することが可能となっている。
【００２９】
上側コネクタ電極７１及び下側コネクタ電極７２は、それぞれ素子本体６０の側面のいずれかの後端側に配設されており、外部と電気的に導通するための電極である。上側，下側コネクタ電極７１，７２は、いずれも多孔質層８０に被覆されず露出している。本実施形態では、上側コネクタ電極７１として上側コネクタ電極７１ａ〜７１ｄの４個が左右方向に沿って並べられて、第１面６０ａの後端側に配設されている。下側コネクタ電極７２として下側コネクタ電極７２ａ〜７２ｄの４個が、左右方向に沿って並べられて、第１面６０ａ（上面）に対向する第２面６０ｂ（下面）の後端側に配設されている。コネクタ電極７１ａ〜７１ｄ，７２ａ〜７２ｄは、各々が検出部６３の複数の電極６４〜６８及びヒータ６９のいずれかと電気的に導通している。本実施形態では、上側コネクタ電極７１ａが測定電極６７と導通し、上側コネクタ電極７１ｂが外側電極６４と導通し、上側コネクタ電極７１ｃが内側補助ポンプ電極６６と導通し、上側コネクタ電極７１ｄが内側主ポンプ電極６５と導通し、下側コネクタ電極７２ａ〜７２ｃがそれぞれヒータ６９と導通し、下側コネクタ電極７２ｄが基準電極６８と導通している。上側コネクタ電極７１ｂと外側電極６４とは、第１面６０ａに配設された外側リード線７５を介して導通している（図３，４参照）。それ以外のコネクタ電極は、素子本体６０内部に配設されたリード線やスルーホールなどを介して、対応する電極又はヒータ６９と導通している。
【００３０】
多孔質層８０は、上側，下側コネクタ電極７１，７２が配設された素子本体６０の側面すなわち第１，第２面６０ａ，６０ｂのうち、少なくとも前端側を被覆する多孔質体である。本実施形態では、多孔質層８０は、第１，第２面６０ａ，６０ｂをそれぞれ被覆する内側多孔質層８１と、内側多孔質層８１の外側に配設された外側多孔質層８５と、を備えている。
【００３１】
内側多孔質層８１は、第１面６０ａを被覆する第１内側多孔質層８３と、第２面６０ｂを被覆する第２内側多孔質層８４とを備えている。第１内側多孔質層８３は、第１水侵入抑制部９１及び上側コネクタ電極７１が存在する領域を除いて、上側コネクタ電極７１ａ〜７１ｄが配設された第１面６０ａの前端から後端までの領域を全て覆っている（図２〜４参照）。第１内側多孔質層８３の左右の幅は第１面６０ａの左右の幅と同じであり、第１内側多孔質層８３は第１面６０ａのうち左端から右端までに亘って第１面６０ａを被覆している。第１内側多孔質層８３は、第１水侵入抑制部９１が存在することで、長手方向に沿って第１水侵入抑制部９１よりも前端側に位置する前端側部分８３ａと、第１水侵入抑制部９１よりも後端側に位置する後端側部分８３ｂと、に分割されている。第１内側多孔質層８３は、外側電極６４及び外側リード線７５のそれぞれ少なくとも一部を被覆している。本実施形態では、図３，４に示すように、第１内側多孔質層８３は外側電極６４全体を被覆し、外側リード線７５のうち第１水侵入抑制部９１が存在しない部分を全て被覆している。第１内側多孔質層８３は、例えば被測定ガス中の硫酸などの成分から外側電極６４及び外側リード線７５を保護して、これらの腐食などを抑制する保護層としての役割を果たす。
【００３２】
第２内側多孔質層８４は、第２水侵入抑制部９４及び下側コネクタ電極７２が存在する領域を除いて、下側コネクタ電極７２ａ〜７２ｄが配設された第２面６０ｂの前端から後端までの領域を全て覆っている（図２，３，５参照）。第２内側多孔質層８４の左右の幅は第２面６０ｂの左右の幅と同じであり、第２内側多孔質層８４は第２面６０ｂのうち左端から右端までに亘って第２面６０ｂを被覆している。第２内側多孔質層８４は、第２水侵入抑制部９４が存在することで、長手方向に沿って第２水侵入抑制部９４よりも前端側に位置する前端側部分８４ａと、第２水侵入抑制部９４よりも後端側に位置する後端側部分８４ｂと、に分割されている。
【００３３】
外側多孔質層８５は、第１〜第５面６０ａ〜６０ｅを被覆している。外側多孔質層８５は、第１面６０ａ及び第２面６０ｂについては、内側多孔質層８１を被覆することでこれらの面を被覆している。外側多孔質層８５は、内側多孔質層８１と比べて前後方向の長さが短くなっており、内側多孔質層８１とは異なり素子本体６０の前端及び前端付近の領域だけを被覆している。これにより、外側多孔質層８５は、素子本体６０のうち検出部６３の各電極６４〜６８の周辺部分、言い換えると素子本体６０のうち素子室３３内に配置されて被測定ガスに晒される部分、を被覆している。これにより、外側多孔質層８５は、例えば被測定ガス中の水分等が付着して素子本体６０にクラックが生じるのを抑制する保護層としての役割を果たす。
【００３４】
多孔質層８０は、例えばアルミナ多孔質体、ジルコニア多孔質体、スピネル多孔質体、コージェライト多孔質体，チタニア多孔質体、マグネシア多孔質体などのセラミックス多孔質体からなるものである。本実施形態では、多孔質層８０はアルミナ多孔質体からなるものとした。第１内側多孔質層８３及び第２内側多孔質層８４の各々の厚さは、例えば５μｍ以上４０μｍ以下としてもよい。外側多孔質層８５の厚さは、例えば４０μｍ以上８００μｍ以下としてもよい。多孔質層８０は、気孔率が１０％以上である。多孔質層８０は外側電極６４や被測定ガス導入口６１を覆っているが、気孔率が１０％以上であれば、被測定ガスは多孔質層８０を通過できる。内側多孔質層８１の気孔率は、１０％以上５０％以下としてもよい。外側多孔質層８５の気孔率は、１０％以上８５％以下としてもよい。外側多孔質層８５は、内側多孔質層８１よりも気孔率が高くてもよい。
【００３５】
内側多孔質層８１の気孔率は、走査型電子顕微鏡（ＳＥＭ）を用いて観察して得られた画像（ＳＥＭ画像）を用いて以下のように導出した値とする。まず、内側多孔質層８１の断面を観察面とするように内側多孔質層８１の厚さ方向に沿ってセンサ素子２０を切断し、切断面の樹脂埋め及び研磨を行って観察用試料とする。続いて、ＳＥＭの倍率を１０００倍から１００００倍に設定して観察用試料の観察面を撮影することで内側多孔質層８１のＳＥＭ画像を得る。次に、得た画像を画像解析することにより、画像中の画素の輝度データの輝度分布から判別分析法（大津の２値化）で閾値を決定する。その後、決定した閾値に基づいて画像中の各画素を物体部分と気孔部分とに２値化して、物体部分の面積と気孔部分の面積とを算出する。そして、全面積（物体部分と気孔部分の合計面積）に対する気孔部分の面積の割合を、気孔率（単位：％）として導出する。外側多孔質層８５の気孔率も、同様にして導出した値とする。
【００３６】
水侵入抑制部９０は、素子本体６０の長手方向に沿った水の毛細管現象を抑制するものである。本実施形態では、水侵入抑制部９０は、第１水侵入抑制部９１と第２水侵入抑制部９４とを有している。第１水侵入抑制部９１は、上側コネクタ電極７１及び第１内側多孔質層８３が配設された第１面６０ａに配設されている。第１水侵入抑制部９１は、上述したように第１内側多孔質層８３を長手方向に沿って前後に分割するように第１面６０ａに配設されている。第１水侵入抑制部９１は、上側コネクタ電極７１よりも素子本体６０の前端側すなわち上側コネクタ電極７１の前方に配設されている。第１水侵入抑制部９１は、外側電極６４よりも後方に配設されている。第１水侵入抑制部９１は、外側電極６４も含めた検出部６３が有する複数の電極６４〜６８のいずれよりも、後方に配設されている（図３参照）。第１水侵入抑制部９１は、水分が前端側部分８３ａ内を毛細管現象によって後方に移動してきた場合に、水分が第１水侵入抑制部９１を通過するのを抑制して、水分が上側コネクタ電極７１に到達するのを抑制する役割を果たす。第１水侵入抑制部９１は、第１面６０ａ上の領域であって多孔質層８０が存在しない隙間領域である。第１水侵入抑制部９１は、前端側部分８３ａの後端と後端側部分８３ｂの前端との間の領域として形成されている。第１水侵入抑制部９１が存在する部分では、外側リード線７５が露出している。
【００３７】
第２水侵入抑制部９４は、下側コネクタ電極７２及び第２内側多孔質層８４が配設された第２面６０ｂに配設されている。第２水侵入抑制部９４は、上述したように第２内側多孔質層８４を長手方向に沿って前後に分割するように第２面６０ｂに配設されている。第２水侵入抑制部９４は、下側コネクタ電極７２よりも素子本体６０の前端側すなわち下側コネクタ電極７２の前方に配設されている。第２水侵入抑制部９４は、外側電極６４よりも後方に配設されている。第２水侵入抑制部９４は、外側電極６４も含めた検出部６３が有する複数の電極６４〜６８のいずれよりも、後方に配設されている（図３参照）。第２水侵入抑制部９４は、水分が前端側部分８４ａ内を毛細管現象によって後方に移動してきた場合に、水分が第２水侵入抑制部９４を通過するのを抑制して、水分が下側コネクタ電極７２に到達するのを抑制する役割を果たす。第２水侵入抑制部９４は、第２面６０ｂ上の領域であって多孔質層８０が存在しない隙間領域である。第２水侵入抑制部９４は、前端側部分８４ａの後端と後端側部分８４ｂの前端との間の領域として形成されている。
【００３８】
第１水侵入抑制部９１及び第２水侵入抑制部９４は、それぞれ、長手方向の長さＬ（図４，５参照）が０．５ｍｍ以上である。長さＬが０．５ｍｍ以上であることで、水分が第１水侵入抑制部９１及び第２水侵入抑制部９４を通過することを十分抑制できる。長さＬは５ｍｍ以上としてもよい。長さＬは２５ｍｍ以下としてもよく、２０ｍｍ以下としてもよい。なお、第１水侵入抑制部９１の長さＬと第２水侵入抑制部９４の長さＬは本実施形態では同じ値としたが、両者が異なる値でもよい。
【００３９】
第１，第２水侵入抑制部９１，９４は、それぞれ、長さＬが１ｍｍ以下であることが好ましい。このように長さＬが比較的小さいことで、素子本体６０の側面（ここでは第１，第２面６０ａ，６０ｂ）が露出する部分、すなわち多孔質層８０に覆われていない部分を少なくすることができる。特に、本実施形態では、第１面６０ａに外側リード線７５が配設されており、第１水侵入抑制部９１が存在する部分では外側リード線７５が露出してしまう。そのため、第１水侵入抑制部９１の長さＬを小さくすることで、外側リード線７５のうち多孔質層８０に保護されない部分を少なくすることができる。
【００４０】
図６は、水侵入抑制部９０と碍子４４ａ〜４４ｃ及び圧粉体４５ａ，４５ｂとの位置関係を示す説明図であり、説明に無関係な部材の図示を省略したガスセンサ１０の縦断面図である。第１水侵入抑制部９１は、センサ素子２０の長手方向（ここでは前後方向）に沿った第１水侵入抑制部９１の存在範囲と、センサ素子２０の長手方向に沿った碍子４４ｂの内周面４４ｂ１の長手方向の存在範囲と、の連続した重複部分の長さである重複距離Ｗが０．５ｍｍ以上となるように配置されている。碍子４４ｂの内周面４４ｂ１とは、碍子４４ｂのうち第１水侵入抑制部９１に対向している面、言い換えると第１水侵入抑制部９１に向けて露出している面であり、碍子４４ｂの断面四角形状の内周面のうち上側に位置する面である。この内周面４４ｂ１と第１水侵入抑制部９１との位置関係によって定まる重複距離Ｗの値は、第１水侵入抑制部９１（隙間領域）のうち圧粉体４５ａ，４５ｂが露出していない連続した部分の前後方向の長さに相当する。また、図６に示すように、本実施形態では、第１水侵入抑制部９１は、前後方向で碍子４４ｂの内周面４４ｂ１に含まれるように配置されている。より具体的には、第１水侵入抑制部９１の前端から後端までの領域（前後方向の第１水侵入抑制部９１の存在範囲）が、碍子４４ｂの内周面４４ｂ１の前端から後端までの領域（前後方向の内周面４４ｂ１の存在範囲）の内側に含まれるように位置している。このような位置関係にあることで第１水侵入抑制部９１について重複距離Ｗ＝長さＬが成立し、上記のように長さＬは０．５ｍｍ以上であるため、重複距離Ｗも０．５ｍｍ以上となっている。また、本実施形態では、前後方向の内周面４４ｂ１の存在範囲と、前後方向の碍子４４ｂの存在範囲とは、一致しているものとした。そのため、センサ素子２０の長手方向に沿った第１水侵入抑制部９１の存在範囲と、センサ素子２０の長手方向に沿った碍子４４ｂの存在範囲と、の連続した重複部分の長さは、上述した重複距離Ｗと同じ値になっている。
【００４１】
第２水侵入抑制部９４についても、同様に、センサ素子２０の長手方向（ここでは前後方向）に沿った第２水侵入抑制部９４の存在範囲と、センサ素子２０の長手方向に沿った碍子４４ｂの内周面４４ｂ２の長手方向の存在範囲と、の連続した重複部分の長さである重複距離Ｗが０．５ｍｍ以上となるように配置されている。碍子４４ｂの内周面４４ｂ２とは、碍子４４ｂのうち第２水侵入抑制部９４に対向している面、言い換えると第２水侵入抑制部９４に向けて露出している面であり、碍子４４ｂの断面四角形状の内周面のうち下側に位置する面である。この内周面４４ｂ２と第２水侵入抑制部９４との位置関係によって定まる重複距離Ｗの値は、第２水侵入抑制部９４（隙間領域）のうち圧粉体４５ａ，４５ｂが露出していない連続した部分の前後方向の長さに相当する。また、図６に示すように、本実施形態では、第２水侵入抑制部９４は、前後方向で碍子４４ｂの内周面４４ｂ２に含まれるように配置されている。より具体的には、第２水侵入抑制部９４の前端から後端までの領域（前後方向の第２水侵入抑制部９４の存在範囲）が、碍子４４ｂの内周面４４ｂ２の前端から後端までの領域（前後方向の内周面４４ｂ２の存在範囲）の内側に含まれるように位置している。このような位置関係にあることで第２水侵入抑制部９４について重複距離Ｗ＝長さＬが成立し、上記のように長さＬは０．５ｍｍ以上であるため、重複距離Ｗも０．５ｍｍ以上となっている。また、本実施形態では、前後方向の内周面４４ｂ２の存在範囲と、前後方向の碍子４４ｂの存在範囲とは、一致しているものとした。そのため、センサ素子２０の長手方向に沿った第２水侵入抑制部９４の存在範囲と、センサ素子２０の長手方向に沿った碍子４４ｂの存在範囲と、の連続した重複部分の長さは、上述した重複距離Ｗと同じ値になっている。
【００４２】
なお、第１水侵入抑制部９１の重複距離Ｗと第２水侵入抑制部９４の重複距離Ｗとは本実施形態では同じ値としたが、両者が異なる値でもよい。また、第１，第２水侵入抑制部９１，９４の各々について、重複距離Ｗは５ｍｍ以上としてもよいし、重複距離Ｗは２０ｍｍ以下としてもよい。
【００４３】
第１水侵入抑制部９１は、第１水侵入抑制部９１が配設された側面（ここでは第１面６０ａ）から内周面４４ｂ１までの高さＨ（図６参照）が５０μｍ以上であることが好ましい。このように高さＨが大きいことで、素子本体６０のうち第１水侵入抑制部９１が配設された第１面６０ａと碍子４４ｂとの距離が近すぎて第１面６０ａと内周面４４ｂ１との間（すなわち第１水侵入抑制部９１内）で毛細管現象が生じてしまうことをより抑制できる。同様に、第２水侵入抑制部９４は、第２水侵入抑制部９４が配設された側面（ここでは第２面６０ｂ）から内周面４４ｂ２までの高さＨが５０μｍ以上であることが好ましい。第１，第２水侵入抑制部９１，９４は、それぞれ、高さＨが１００μｍ以上であることがより好ましい。第１，第２水侵入抑制部９１，９４は、それぞれ、高さＨが５００μｍ以下であってもよい。第１水侵入抑制部９１の高さＨと第２水侵入抑制部９４の高さＨとは本実施形態では同じ値としたが、両者が異なる値でもよい。
【００４４】
図６では内周面４４ｂ１と第１内側多孔質層８３の上面とは接触しており、第１水侵入抑制部９１の高さＨは第１内側多孔質層８３の厚さと同じ値になっている。ただし、内周面４４ｂ１と第１内側多孔質層８３の上面とが上下に離間していてもよい。両者が離間していることで、例えば両者の熱膨張やガスセンサ１０の振動などが生じた場合の両者の接触が抑制されて、碍子４４ｂとセンサ素子２０との少なくとも一方が破損することを抑制できる。両者が離間している場合、第１水侵入抑制部９１の高さＨは、第１内側多孔質層８３の厚さと、内周面４４ｂ１と第１内側多孔質層８３の上面との上下の離間距離と、の和と同じ値であってもよい。内周面４４ｂ２と第２内側多孔質層８４の下面とについても同様に、図６では両者が接触しているが、両者が上下に離間していてもよい。
【００４５】
こうして構成されたガスセンサ１０の製造方法を以下に説明する。まず、センサ素子２０の製造方法について説明する。センサ素子２０を製造する際には、まず、素子本体６０に対応する複数（ここでは６枚）の未焼成のセラミックスグリーンシートを用意する。各グリーンシートには、必要に応じて切欠や貫通孔や溝などを打ち抜き処理などによって設けたり、電極や配線パターンをスクリーン印刷したりする。また、焼成後に第１内側多孔質層８３及び第２内側多孔質層８４となる未焼成多孔質層についても、スクリーン印刷によりグリーンシートのうち第１，第２面６０ａ，６０ｂに対応する面に形成する。未焼成多孔質層は、第１，第２水侵入抑制部９１，９４が形成されるように、隙間領域を設けつつ形成する。その後、複数のグリーンシートを積層する。積層された複数のグリーンシートは、焼成後に素子本体となる未焼成素子本体であり、未焼成多孔質層を備えている。そして、この未焼成素子本体を焼成して、第１内側多孔質層８３，第２内側多孔質層８４，及び第１，第２水侵入抑制部９１，９４を備えた素子本体６０を得る。続いて、プラズマ溶射により外側多孔質層８５を形成して、センサ素子２０を得る。なお、多孔質層８０の製造方法としては、スクリーン印刷やプラズマ溶射の他に、ゲルキャスト法，ディッピングなどを用いることもできる。
【００４６】
次に、センサ素子２０を組み込んだガスセンサ１０を製造する。まず、筒状体４１の貫通孔の内部にセンサ素子２０を軸方向に貫通させ、且つ筒状体４１の内周面とセンサ素子２０との間に碍子４４ａ，圧粉体４５ａ，碍子４４ｂ，圧粉体４５ｂ，碍子４４ｃ，メタルリング４６をこの順に配置する。次に、メタルリング４６を押圧して圧粉体４５ａ，４５ｂを圧縮し、その状態で縮径部４３ｃ，４３ｄを形成することで素子封止体４０を製造して、筒状体４１の内周面とセンサ素子２０との間を封止する。その後、素子封止体４０に保護カバー３０を溶接し、ナット４７を取り付けて組立体１５を得る。そして、ゴム栓５７内を通したリード線５５と、これに接続されたコネクタ５０とを用意して、コネクタ５０をセンサ素子２０の後端側に接続する。その後、外筒４８を主体金具４２に溶接固定して、ガスセンサ１０を得る。
【００４７】
次に、こうして構成されたガスセンサ１０の使用例を以下に説明する。ガスセンサ１０が図１のように配管５８に取り付けられた状態で、配管５８内を被測定ガスが流れると、被測定ガスは保護カバー３０内を流通して素子室３３内に流入し、センサ素子２０の前端側が被測定ガスに晒される。そして、被測定ガスが多孔質層８０を通過して外側電極６４に到達及び被測定ガス導入口６１からセンサ素子２０内に到達すると、上述したようにこの被測定ガス中のＮＯｘ濃度に応じた電気信号を検出部６３が発生させる。この電気信号を上側，下側コネクタ電極７１，７２を介して取り出すことで、電気信号に基づきＮＯｘ濃度が検出される。
【００４８】
このとき、被測定ガス中には水分が含まれている場合があり、この水分が毛細管現象によって多孔質層８０内を移動していく場合がある。この水分が露出した上側，下側コネクタ電極７１，７２まで到達すると、水や水に溶けた硫酸などの成分によって上側，下側コネクタ電極７１，７２の錆や腐食が発生したり上側，下側コネクタ電極７１，７２のうち隣接する電極間の短絡が生じたりする場合がある。しかし、本実施形態では、被測定ガス中の水分が毛細管現象によって多孔質層８０内（特に第１内側多孔質層８３内及び第２内側多孔質層８４内）を素子本体６０の後端側に向かって移動したとしても、水分は上側，下側コネクタ電極７１，７２に到達する前に第１水侵入抑制部９１又は第２水侵入抑制部９４に到達する。そして、第１水侵入抑制部９１は、多孔質層が存在しない空間である隙間領域であり、素子本体６０の長手方向に沿った水の毛細管現象が生じにくい。また、第１水侵入抑制部９１は、長手方向の長さＬが０．５ｍｍ以上であるため、水分が第１水侵入抑制部９１を通過することを十分抑制できる。以上により、第１水侵入抑制部９１は、水分が前端側部分８３ａ側から第１水侵入抑制部９１内部を通過することを抑制できる。
【００４９】
また、第１水侵入抑制部９１と碍子４４ｂとの重複距離Ｗが０．５ｍｍ以上となっていることで、水分が圧粉体４５ａ，４５ｂの内部を通過することで第１水侵入抑制部９１を回り込んでセンサ素子２０の後端側に移動することも十分抑制できる。例えば、比較例として、図７に示すように、センサ素子２０の長手方向で第１水侵入抑制部９１及び第２水侵入抑制部９４が圧粉体４５ａと同じ位置にのみ配置されており重複距離Ｗが０ｍｍである場合を考える。この場合、水分は第１水侵入抑制部９１の内部を毛細管現象で通過することはできないものの、圧粉体４５ａは吸水性を有するため水分は圧粉体４５ａの内部を移動可能である。そのため、水分が圧粉体４５ａの内部を通過することで第１水侵入抑制部９１を回り込んで第１水侵入抑制部９１よりも後端側に移動してしまう場合がある（図７中の太矢印参照）。これに対し、本実施形態のセンサ素子２０では、図６に示すように第１水侵入抑制部９１が配置されて重複距離Ｗが０．５ｍｍ以上となっている。この重複距離Ｗの部分（重複部分）では、圧粉体４５ａは第１水侵入抑制部９１には露出しておらず、碍子４４ｂは緻密であるため水分は碍子４４ｂの内部をほとんど通過できないから、図７で示した水分の回り込みは生じにくい。そして、重複距離Ｗが０．５ｍｍ以上であることで、水分が第１水侵入抑制部９１を回り込むことを抑制する領域が十分な長さに亘って存在することになるため、回り込みによる水分の移動を十分抑制できる。
【００５０】
以上により、第１水侵入抑制部９１は、多孔質層８０（特に前端側部分８３ａ）内を移動してきた水分が第１水侵入抑制部９１内を通過することを抑制し、しかも圧粉体４５ａ，４５ｂを介して水分が第１水侵入抑制部９１を回り込んで移動することも抑制する。したがって、ガスセンサ１０では、水分が第１水侵入抑制部９１よりもセンサ素子２０の後端側に移動して上側コネクタ電極７１に到達するのを抑制できる。そのため、センサ素子２０では、上側コネクタ電極７１に水が付着することによる上述した不具合の発生が抑制される。
【００５１】
同様に、第２水侵入抑制部９４と碍子４４ｂとの重複距離Ｗが０．５ｍｍ以上となっていることで、第２水侵入抑制部９４は、多孔質層８０（特に前端側部分８４ａ）内を移動してきた水分が第２水侵入抑制部９４内を通過することを抑制し、しかも圧粉体４５ａ，４５ｂを介して水分が第２水侵入抑制部９４を回り込んで移動することも抑制する。したがって、ガスセンサ１０では、水分が第２水侵入抑制部９４よりもセンサ素子２０の後端側に移動して下側コネクタ電極７２に到達するのを抑制できる。そのため、センサ素子２０では、下側コネクタ電極７２に水が付着することによる上述した不具合の発生が抑制される。
【００５２】
ここで、本実施形態の構成要素と本発明の構成要素との対応関係を明らかにする。本実施形態のセンサ素子２０が本発明のセンサ素子に相当し、筒状体４１が筒状体に相当し、圧粉体４５ａ，４５ｂが圧粉体に相当し、碍子４４ａ〜４４ｃが緻密体に相当し、素子本体６０が素子本体に相当し、検出部６３が検出部に相当し、コネクタ電極７１ａ〜７１ｄ，７２ａ〜７２ｄの各々がコネクタ電極に相当し、第１面６０ａ及び第２面６０ｂがコネクタ電極が配設された側面に相当し、多孔質層８０が多孔質層に相当し、第１水侵入抑制部９１及び第２水侵入抑制部９４がそれぞれ水侵入抑制部に相当する。また、外側リード線７５が外側リード部に相当し、外側電極６４が外側電極に相当し、第１面６０ａが第１側面に相当し、第２面６０ｂが第２側面に相当する。
【００５３】
以上詳述した本実施形態のセンサ素子２０によれば、素子本体６０の１以上の側面のいずれか（ここでは第１面６０ａ）において、第１水侵入抑制部９１が配設されているため、水分が第１水侵入抑制部９１よりもセンサ素子２０の後端側に移動して上側コネクタ電極７１ａ〜７１ｄに到達するのを抑制できる。同様に、センサ素子２０では、素子本体６０の１以上の側面のいずれか（ここでは第２面６０ｂ）においても、第２水侵入抑制部９４が配設されているため、水分が第２水侵入抑制部９４よりもセンサ素子２０の後端側に移動して下側コネクタ電極７２ａ〜７２ｄに到達することも抑制できる。
【００５４】
さらに、第１，第２水侵入抑制部９１，９４の長さＬが１ｍｍ以下であることで、長さＬが比較的小さいため、素子本体６０の側面（ここでは第１，第２面６０ａ，６０ｂ）が露出する部分（多孔質層８０に覆われていない部分）を少なくすることができる。
【００５５】
また、第１，第２水侵入抑制部９１，９４の高さＨが５０μｍ以上であることで、素子本体６０のうち第１，第２水侵入抑制部９１，９４が配設された側面（ここでは第１，第２面６０ａ，６０ｂと碍子４４ｂとの距離が近すぎて第１，第２面６０ａ，６０ｂと内周面４４ｂ１，４４ｂ２との間で毛細管現象が生じてしまうことをより抑制できる。
【００５６】
そして、センサ素子２０は、上側コネクタ電極７１が配設された側面（ここでは第１面６０ａ）に配設され、検出部６３の複数の電極のいずれか（ここでは外側電極６４）と上側コネクタ電極７１ｂとを導通する外側リード線７５、を備えている。また、多孔質層８０（特に第１内側多孔質層８３）は外側リード線７５の少なくとも一部を被覆している。そのため、外側リード線７５の少なくとも一部を多孔質層８０によって保護できる。また、外側リード線７５を多孔質層８０によって保護する場合には、下側コネクタ電極７２ｂに近い位置に多孔質層（ここでは第１内側多孔質層８３）が存在しやすいため、水分が第１内側多孔質層８３を介して下側コネクタ電極７２ｂに到達するのを第１水侵入抑制部９１によって抑制する意義が高い。
【００５７】
なお、本発明は上述した実施形態に何ら限定されることはなく、本発明の技術的範囲に属する限り種々の態様で実施し得ることはいうまでもない。
【００５８】
例えば、上述した実施形態では、ガスセンサ１０は碍子を３個（碍子４４ａ〜４４ｃ）及び圧粉体を２個（圧粉体４５ａ，４５ｂ）備えていたが、これに限らず各々を１個以上備えていればよい。また、上述した実施形態では緻密体の例として碍子４４ａ〜４４ｃを挙げたが、これに限られない。碍子４４ａ〜４４ｃの１以上について、気孔率が１０％未満の緻密体を用いることができる。気孔率が１０％未満の緻密体であれば、内部を水分が通過しにくいため、上述した水侵入抑制部９０を回り込むことによる水分の移動を十分抑制できる。緻密体の気孔率は、５％未満であってもよい。緻密体の気孔率は、内側多孔質層８１の気孔率と同様にＳＥＭを用いて導出した値とする。
【００５９】
上述した実施形態では、第１，第２水侵入抑制部９１，９４は、それぞれ、前後方向で碍子４４ｂと重複する位置に配置されていたが、これに限られない。例えば、第１，第２水侵入抑制部９１，９４は、前後方向で碍子４４ａ又は碍子４４ｃと重複する位置に配置されていてもよい。ただし、第１水侵入抑制部９１が、ガスセンサ１０が備える複数の碍子のうち最も前端側の碍子（ここでは碍子４４ａ）のみと重複している場合、被測定ガス中の気体状態の水分が第１水侵入抑制部９１と碍子４４ａとの隙間を通過して第１水侵入抑制部９１よりもセンサ素子２０の後端側に移動してしまう可能性がある。また、第１水侵入抑制部９１が、ガスセンサ１０が備える複数の碍子のうち最も後端側の碍子（ここでは碍子４４ｃ）のみと重複している場合、第１水侵入抑制部９１と上側コネクタ電極７１とが比較的近いことになる。この場合、第１水侵入抑制部９１は毛細管現象による液体の水分の上側コネクタ電極７１への移動を抑制できるが、その液体の水分の一部が第１水侵入抑制部９１の前側で気化して第１水侵入抑制部９１と碍子４４ｃとの隙間を通過し、第１水侵入抑制部９１よりもセンサ素子２０の後端側に移動して上側コネクタ電極７１に到達してしまう可能性がある。これらのことから、ガスセンサ１０が備える碍子が２個以上である場合には、第１水侵入抑制部９１は最も前端側の碍子以外の碍子と重複していることが好ましい。また、ガスセンサ１０が備える碍子が３個以上である場合には、第１水侵入抑制部９１は最も前端側の碍子と最も後端側の碍子とを除いた他の碍子と重複していることが好ましい。
【００６０】
上述した実施形態において、センサ素子２０が第２内側多孔質層８４を備えず、第２面６０ｂが多孔質層８０で被覆されていなくてもよい。この場合、センサ素子２０は第２水侵入抑制部９４を備えなくてもよい。水侵入抑制部は、素子本体が有する側面（上述した実施形態では第１〜第４面６０ａ〜６０ｄ）のうち、コネクタ電極及び多孔質保護層が配設された側面（上述した実施形態では第１，第２面６０ａ，６０ｂ）の少なくとも１つに配設されていればよい。こうすれば、少なくとも水侵入抑制部が配設された側面においては、水分がコネクタ電極に到達するのを抑制できる。
【００６１】
上述した実施形態では、第１内側多孔質層８３は第１水侵入抑制部９１及び上側コネクタ電極７１が存在する領域を除いて第１面６０ａの前端から後端までの領域を被覆していたが、これに限られない。例えば、第１内側多孔質層８３は、第１水侵入抑制部９１が存在する領域を除いて第１面６０ａの前端から上側コネクタ電極７１ａ〜７１ｄの前端側の端部までの領域を覆っていてもよい。あるいは、第１内側多孔質層８３は、第１水侵入抑制部９１が存在する領域を除いて第１面６０ａの前端から第１水侵入抑制部９１よりも後方までの領域を少なくとも覆っていてもよい。第２内側多孔質層８４についても同様である。
【００６２】
上述した実施形態では、素子本体６０は直方体形状としたが、これに限られない。例えば、素子本体６０は円筒又は円柱状であってもよい。この場合、素子本体６０は側面を１つ有することになる。
【実施例】
【００６３】
以下には、センサ素子を具体的に作製した例を実施例として説明する。実験例１〜４が本発明の実施例に相当し、実験例５〜７が比較例に相当する。なお、本発明は以下の実施例に限定されるものではない。【００６４】
［実験例１］
図２〜５に示したセンサ素子２０と同様のセンサ素子を作製し、これを組み込んだガスセンサ１０を作製して実験例１とした。ただし、実験例１では、上述した実施形態の図６とは異なり、碍子４４ｂと水侵入抑制部９０との位置関係を図８に示す態様とした。実験例１のセンサ素子２０は以下のように作製した。まず、安定化剤のイットリアを４ｍｏｌ％添加したジルコニア粒子と有機バインダーと有機溶剤とを混合してテープ成形により成形したセラミックスグリーンシートを６枚用意した。各々のグリーンシートには各電極等のパターンを印刷した。また、焼成後に第１内側多孔質層８３及び第２内側多孔質層８４となる未焼成多孔質層を、スクリーン印刷により形成した。未焼成多孔質層は、第１，第２水侵入抑制部９１，９４が形成されるように形成した。未焼成多孔質層は、原料粉末（アルミナ粉末），バインダー溶液（ポリビニルアセタールとブチルカルビトール），溶媒（アセトン），及び造孔材を混合して調合したスラリーとした。その後、６枚のグリーンシートを積層及び焼成した。これにより、第１，第２内側多孔質層８３，８４を備えた素子本体６０を作製して、実験例１のセンサ素子２０とした。素子本体６０の寸法は、長さが６７．５ｍｍ、幅が４．２５ｍｍ、厚さが１．４５ｍｍとした。第１，第２内側多孔質層８３，８４は、厚さが２０μｍ、気孔率が３０％とした。【００６５】
実験例１のガスセンサ１０を作製するにあたり、碍子４４ａ〜４４ｃはいずれもアルミナからなるセラミックスの焼結体とし、碍子４４ａの軸方向長さを８ｍｍ、碍子４４ｂの軸方向長さを１０ｍｍ、碍子４４ｃの軸方向長さを４．５ｍｍとした。碍子４４ａ〜４４ｃの気孔率をＳＥＭ画像を用いて導出したところ、１％未満であった。圧粉体４５ａ，４５ｂはタルク粉末を成形したものとした。また、筒状体４１内で圧粉体４５ａ，４５ｂに前後から加わる封止荷重が適切となるように、タルク粉末の量を調整した。封止後の圧粉体４５ａの軸方向長さは６ｍｍ、圧粉体４５ａの軸方向長さは７ｍｍであった。碍子４４ａ〜４４ｃと多孔質層８０との上下方向の離間距離はいずれも１００μｍであった。図８に示す第１，第２水侵入抑制部９１，９４の長さＬはそれぞれ２０ｍｍであった。実験例１では、第１，第２水侵入抑制部９１，９４の前端の位置が、碍子４４ｂの内周面４４ｂ１，４４ｂ２の前端の位置と同じになっている。実験例１では、第１，第２水侵入抑制部９１，９４の前端は、素子本体６０の前端から２９ｍｍの距離に位置している。図８に示すように、第１，第２水侵入抑制部９１，９４はそれぞれ碍子４４ｂ，４４ｃと重複しており、連続した重複部分の長さである重複距離Ｗは、より長い距離に亘って重複している碍子４４ｂとの位置関係に基づいて、１０ｍｍとなった。また、第１，第２水侵入抑制部９１，９４の高さＨはそれぞれ１２０μｍ（碍子４４ａ〜４４ｃと多孔質層８０との上下方向の離間距離１００μｍと、第１，第２内側多孔質層８３，８４の各々の厚さ２０μｍと、の和）となった。高さＨは後述する実験例２〜６においても実験例１と同じ値とした。【００６６】
［実験例２］
碍子４４ｂと水侵入抑制部９０との前後の位置関係が上述した図６に示した位置関係となるように第１，第２内側多孔質層８３，８４の形成パターンを変更した点以外は、上述した実験例１と同様のガスセンサ１０を作製して実験例２とした。実験例２では、図６に示すように、前後方向で第１，第２水侵入抑制部９１，９４はそれぞれ碍子４４ｂに含まれており重複距離Ｗ＝５ｍｍ（＝Ｌ）となった。実験例２における第１，第２水侵入抑制部９１，９４の前端は、素子本体６０の前端から３１ｍｍの距離に位置するようにした。【００６７】
［実験例３〜５］
碍子４４ｂと水侵入抑制部９０との前後の位置関係が図９に示した位置関係となるように第１，第２内側多孔質層８３，８４の形成パターンを変更した点以外は、上述した実験例１と同様のガスセンサ１０を作製して実験例３〜５とした。実験例３〜５のいずれにおいても、第１，第２水侵入抑制部９１，９４の長さＬは５ｍｍとした。図９に示すように、前後方向で第１，第２水侵入抑制部９１，９４は後端側の一部が碍子４４ｂと重複しており、実験例３では重複距離Ｗ＝３ｍｍ、実験例４では重複距離Ｗ＝０．５ｍｍ、実験例５では重複距離Ｗ＝０．３ｍｍとした。素子本体６０の前端から第１，第２水侵入抑制部９１，９４の前端までの距離は、実験例３では２７ｍｍ、実験例４では２４．５ｍｍ、実験例５では２４．３ｍｍとした。【００６８】
［実験例６］
碍子４４ｂと水侵入抑制部９０との前後の位置関係が上述した図７に示した位置関係となるように第１，第２内側多孔質層８３，８４の形成パターンを変更した点以外は、上述した実験例１と同様のガスセンサ１０を作製して実験例６とした。実験例６では、第１，第２水侵入抑制部９１，９４の長さＬは５ｍｍとし、重複距離Ｗ＝０ｍｍとした。実験例６では、第１，第２水侵入抑制部９１，９４の前端は、素子本体６０の前端から２３．５ｍｍの距離に位置している。【００６９】
［実験例７］
第１，第２水侵入抑制部９１，９４を備えない点以外は実験例１と同様にガスセンサ１０を作製して、実験例７とした。すなわち、実験例７では、第１，第２内側多孔質層８３，８４の各々が、前後に分割されておらず、上側，下側コネクタ電極７１，７２が配設された領域を除いて第１，第２面６０ａ，６０ｂを全て被覆するようにした。水侵入抑制部の長さＬ及び重複距離Ｗはいずれも０ｍｍとなった。【００７０】
［液体侵入試験］
実験例１〜７のガスセンサ１０について、素子本体６０の前端側を液体に浸した場合に毛細管現象によって素子本体６０の後端側にどの程度液体が浸入するかを試験した。まず、ガスセンサ１０の長手方向（前後方向）が鉛直方向に沿うようにした状態で、ガスセンサ１０のうちガスセンサ１０の前端から所定の浸漬位置までの部分を、レッドチェック液に浸した。所定の浸漬位置は、センサ素子２０の素子本体６０の前端（第５面６０ｅ）から後端側に向かって２０ｍｍの位置とした。その状態で１５０時間放置し、レッドチェック液が浸漬位置よりも後端側にどの程度浸入したかを目視にて測定し、侵入距離とした。この侵入距離は、第１，第２内側多孔質層８３，８４内を毛細管現象によってレッドチェック液が浸漬位置から素子本体６０の後端側にどの程度移動したかを表す値である。１５０時間経過後の侵入距離が１５ｍｍ未満であった場合に非常に良好（Ａ）と判定し、１５ｍｍ以上であった場合に不良（Ｆ）と判定した。レッドチェック液は、栄進化学製のＲ−３Ｂ（ＮＴ）プラスを用いた。レッドチェック液は、炭化水素油を４０〜６０ｗｔ％，可塑性溶剤を１０〜２０ｗｔ％，グリコールエーテルを１〜２０ｗｔ％，非イオン界面活性剤を１２〜５０ｗｔ％，アゾ系油溶性赤色染料を１〜５％含む。レッドチェック液は、２０℃での密度が０．８６ｇ／ｃｍ3であり、水よりも密度が小さい。【００７１】
実験例１〜７の各々の重複距離Ｗ、長さＬ、液体侵入試験の評価結果を、表１にまとめて示す。また、図１０は、実験例２，７における液体侵入試験時の侵入距離の時間変化を示すグラフである。【００７２】
【表１】
2019155867.tif 000003
【００７３】
図１０から分かるように、第１，第２水侵入抑制部９１，９４が存在しない実験例７では、時間の経過と共に侵入距離が長くなっており、レッドチェック液が毛細管現象により第１，第２内側多孔質層８３，８４内をセンサ素子２０の後方に移動していくことが確認された。これに対し、第１，第２水侵入抑制部９１，９４が存在し重複距離Ｗが０．５ｍｍ以上である実験例２では、第１，第２水侵入抑制部９１，９４の前端側の位置である侵入距離が１１ｍｍの位置（＝素子本体６０の前端から３１ｍｍの位置）までしか、レッドチェック液の浸入は見られなかった。そのため、実験例２では第１，第２水侵入抑制部９１，９４がレッドチェック液の後方への移動を阻止していることが確認できた。【００７４】
表１からわかるように、重複距離Ｗが０．５ｍｍ以上である実験例１〜４は、いずれも液体侵入試験の結果が非常に良好であった。これに対し、重複距離Ｗが０．５ｍｍ未満である実験例５〜７では、液体侵入試験の結果が不良であった。このことから、重複距離Ｗが０．５ｍｍ以上であれば、水分の移動を第１，第２水侵入抑制部９１，９４によって十分抑制できることが確認された。また、実験例５，６の結果から、長さＬが長くても、重複距離Ｗが０．５ｍｍ未満の場合には水分の移動を十分抑制できないことが確認された。これは、上述したように、圧粉体を介して水分が第１，第２水侵入抑制部９１，９４を回り込んで後方に移動しているためと考えられる。【００７５】
本出願は、２０１８年２月６日に出願された日本国特許出願第２０１８−０１９４４６号を優先権主張の基礎としており、引用によりその内容の全てが本明細書に含まれる。
【産業上の利用可能性】
【００７６】
本発明は、自動車の排気ガスなどの被測定ガスにおけるＮＯｘなどの特定ガスの濃度を検出するガスセンサに利用可能である。
【符号の説明】
【００７７】
１０  ガスセンサ、１５  組立体、２０  センサ素子、３０  保護カバー、３１  内側保護カバー、３２  外側保護カバー、３３  素子室、４０  素子封止体、４１  筒状体、４２  主体金具、４２ａ  肉厚部、４２ｂ  底面、４３  内筒、４３ａ  フランジ部、４３ｃ，４３ｄ  縮径部、４４ａ〜４４ｃ  碍子、４４ｂ１，４４ｂ２  内周面、４５ａ，４５ｂ  圧粉体、４６  メタルリング、４７  ナット、４８  外筒、４９  空間、５０  コネクタ、５５  リード線、５７  ゴム栓、５８  配管、５９  固定用部材、６０  素子本体、６０ａ〜６０ｆ  第１面〜第６面、６１  被測定ガス導入口、６２  基準ガス導入口、６３  検出部、６４  外側電極、６５  内側主ポンプ電極、６６  内側補助ポンプ電極、６７  測定電極、６８  基準電極、６９  ヒータ、７１，７１ａ〜７１ｄ  上側コネクタ電極、７２，７２ａ〜７２ｄ  下側コネクタ電極、７５  外側リード線、８０  多孔質層、８１  内側多孔質層、８３  第１内側多孔質層、８３ａ  前端側部分、８３ｂ  後端側部分、８４  第２内側多孔質層、８４ａ  前端側部分、８４ｂ  後端側部分、８５  外側多孔質層、９０  水侵入抑制部、９１  第１水侵入抑制部、９４  第２水侵入抑制部。
【図１】
2019155867.tif 000004
【図２】
2019155867.tif 000005
【図３】
2019155867.tif 000006
【図４】
2019155867.tif 000007
【図５】
2019155867.tif 000008
【図６】
2019155867.tif 000009
【図７】
2019155867.tif 000010
【図８】
2019155867.tif 000011
【図９】
2019155867.tif 000012
【図１０】
2019155867.tif 000013
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
センサ素子と、前記センサ素子が内部を軸方向に貫通する貫通孔を有する金属製の筒状体と、前記貫通孔内に配置され該貫通孔の内周面と前記センサ素子との間に充填された１以上の圧粉体と、気孔率が１０％未満であり前記貫通孔内に配置されると共に内部を前記センサ素子が貫通し前記圧粉体を前記軸方向に押圧する中空柱状の１以上の緻密体と、
を備えたガスセンサであって、
前記センサ素子は、
長手方向に沿った両端である前端及び後端と、該長手方向に沿った表面である１以上の側面と、を有する長尺な素子本体と、
前記素子本体の前記前端側に配設された複数の電極を有し、被測定ガス中の特定ガス濃度を検出するための検出部と、
前記１以上の側面のいずれかの前記後端側に１以上配設され、外部と電気的に導通するためのコネクタ電極と、
前記コネクタ電極が配設された前記側面のうち少なくとも前記前端側を被覆し且つ気孔率が１０％以上の多孔質層と、
前記多孔質層を前記長手方向に沿って分割するように前記側面に配設され、前記コネクタ電極よりも前記前端側に位置し、前記長手方向の存在範囲と前記１以上の緻密体の内周面の前記長手方向の存在範囲との連続した重複部分の長さである重複距離Ｗが０．５ｍｍ以上であり、前記多孔質層が存在しない隙間領域であり前記長手方向に沿った水の毛細管現象を抑制する水侵入抑制部と、
を備えている、
ガスセンサ。
【請求項２】
前記水侵入抑制部は、前記長手方向の長さＬが１ｍｍ以下である、
請求項１に記載のガスセンサ。
【請求項３】
前記水侵入抑制部は、前記側面から前記緻密体の内周面までの高さＨが５０μｍ以上である、
請求項１又は２に記載のガスセンサ。
【請求項４】
前記センサ素子は、前記コネクタ電極が配設された前記側面に配設され前記複数の電極のいずれかと前記コネクタ電極とを導通する外側リード部を備えており、
前記多孔質層は、前記外側リード部の少なくとも一部を被覆している、
請求項１〜３のいずれか１項に記載のガスセンサ。
【請求項５】
前記多孔質層は、前記水侵入抑制部が存在する領域を除いて、前記コネクタ電極が配設された前記側面のうち該側面の前記前端から前記コネクタ電極の前記前端側の端部までの領域を少なくとも覆っている、
請求項１〜４のいずれか１項に記載のガスセンサ。
【請求項６】
前記素子本体は、直方体形状をしており、前記長手方向に沿った表面である４つの前記側面を有しており、
前記コネクタ電極は、前記４つの側面のうち互いに対向する第１側面及び第２側面にそれぞれ１以上配設されており、
前記多孔質層は、前記第１側面及び前記第２側面をそれぞれ被覆しており、
前記水侵入抑制部は、前記第１側面及び前記第２側面にそれぞれ配設されている、
請求項１〜５のいずれか１項に記載のガスセンサ。
【手続補正２】
【補正対象書類名】明細書
【補正対象項目名】００５５
【補正方法】変更
【補正の内容】
【００５５】
また、第１，第２水侵入抑制部９１，９４の高さＨが５０μｍ以上であることで、素子本体６０のうち第１，第２水侵入抑制部９１，９４が配設された側面（ここでは第１，第２面６０ａ，６０ｂ）と碍子４４ｂとの距離が近すぎて第１，第２面６０ａ，６０ｂと内周面４４ｂ１，４４ｂ２との間で毛細管現象が生じてしまうことをより抑制できる。
【手続補正３】
【補正対象書類名】明細書
【補正対象項目名】００５６
【補正方法】変更
【補正の内容】
【００５６】
そして、センサ素子２０は、上側コネクタ電極７１が配設された側面（ここでは第１面６０ａ）に配設され、検出部６３の複数の電極のいずれか（ここでは外側電極６４）と上側コネクタ電極７１ｂとを導通する外側リード線７５、を備えている。また、多孔質層８０（特に第１内側多孔質層８３）は外側リード線７５の少なくとも一部を被覆している。そのため、外側リード線７５の少なくとも一部を多孔質層８０によって保護できる。また、外側リード線７５を多孔質層８０によって保護する場合には、上側コネクタ電極７１ｂに近い位置に多孔質層（ここでは第１内側多孔質層８３）が存在しやすいため、水分が第１内側多孔質層８３を介して上側コネクタ電極７１ｂに到達するのを第１水侵入抑制部９１によって抑制する意義が高い。
【手続補正４】
【補正対象書類名】明細書
【補正対象項目名】００６５
【補正方法】変更
【補正の内容】
【００６５】
実験例１のガスセンサ１０を作製するにあたり、碍子４４ａ〜４４ｃはいずれもアルミナからなるセラミックスの焼結体とし、碍子４４ａの軸方向長さを８ｍｍ、碍子４４ｂの軸方向長さを１０ｍｍ、碍子４４ｃの軸方向長さを４．５ｍｍとした。碍子４４ａ〜４４ｃの気孔率をＳＥＭ画像を用いて導出したところ、１％未満であった。圧粉体４５ａ，４５ｂはタルク粉末を成形したものとした。また、筒状体４１内で圧粉体４５ａ，４５ｂに前後から加わる封止荷重が適切となるように、タルク粉末の量を調整した。封止後の圧粉体４５ａの軸方向長さは６ｍｍ、圧粉体４５ｂの軸方向長さは７ｍｍであった。碍子４４ａ〜４４ｃと多孔質層８０との上下方向の離間距離はいずれも１００μｍであった。図８に示す第１，第２水侵入抑制部９１，９４の長さＬはそれぞれ２０ｍｍであった。実験例１では、第１，第２水侵入抑制部９１，９４の前端の位置が、碍子４４ｂの内周面４４ｂ１，４４ｂ２の前端の位置と同じになっている。実験例１では、第１，第２水侵入抑制部９１，９４の前端は、素子本体６０の前端から２９ｍｍの距離に位置している。図８に示すように、第１，第２水侵入抑制部９１，９４はそれぞれ碍子４４ｂ，４４ｃと重複しており、連続した重複部分の長さである重複距離Ｗは、より長い距離に亘って重複している碍子４４ｂとの位置関係に基づいて、１０ｍｍとなった。また、第１，第２水侵入抑制部９１，９４の高さＨはそれぞれ１２０μｍ（碍子４４ａ〜４４ｃと多孔質層８０との上下方向の離間距離１００μｍと、第１，第２内側多孔質層８３，８４の各々の厚さ２０μｍと、の和）となった。高さＨは後述する実験例２〜６においても実験例１と同じ値とした。
【手続補正５】
【補正対象書類名】明細書
【補正対象項目名】００７０
【補正方法】変更
【補正の内容】
【００７０】
［液体侵入試験］
実験例１〜７のガスセンサ１０について、素子本体６０の前端側を液体に浸した場合に毛細管現象によって素子本体６０の後端側にどの程度液体が浸入するかを試験した。まず、ガスセンサ１０の長手方向（前後方向）が鉛直方向に沿うようにした状態で、ガスセンサ１０のうちガスセンサ１０の前端から所定の浸漬位置までの部分を、レッドチェック液に浸した。所定の浸漬位置は、センサ素子２０の素子本体６０の前端（第５面６０ｅ）から後端側に向かって２０ｍｍの位置とした。その状態で１５０時間放置し、レッドチェック液が浸漬位置よりも後端側にどの程度浸入したかを目視にて測定し、侵入距離とした。この侵入距離は、第１，第２内側多孔質層８３，８４内を毛細管現象によってレッドチェック液が浸漬位置から素子本体６０の後端側にどの程度移動したかを表す値である。１５０時間経過後の侵入距離が１５ｍｍ未満であった場合に非常に良好（Ａ）と判定し、１５ｍｍ以上であった場合に不良（Ｆ）と判定した。レッドチェック液は、栄進化学製のＲ−３Ｂ（ＮＴ）プラスを用いた。レッドチェック液は、炭化水素油を４０〜６０ｗｔ％，可塑性溶剤を１０〜２０ｗｔ％，グリコールエーテルを１〜２０ｗｔ％，非イオン界面活性剤を１２〜５０ｗｔ％，アゾ系油溶性赤色染料を１〜５ｗｔ％含む。レッドチェック液は、２０℃での密度が０．８６ｇ／ｃｍ3であり、水よりも密度が小さい。
【国際調査報告】
2019155867.tif 000014
2019155867.tif 000015
2019155867.tif 000016
2019155867.tif 000017